(57)【要約】【課題】ＵＡＲＴを有した機器を接続されたことを検出するための新たな信号を必要としないために回路規模を抑えることができ、検出手段のみ動作させることで検出できることから消費電流の削減も可能なＵＡＲＴインターフェース付き機器の接続検出装置を提供する。【解決手段】ＵＡＲＴ受信信号１０をｐｕｌｌ−ｄｏｗｎにて接地するｐｕｌｌ−ｄｏｗｎスイッチ１３と抵抗２０とにより構成される接地手段と、ＵＡＲＴを有した機器が接続されたことを検出すると共に接続されたことを通知する検出手段である検出部１４と備える構成とする。【選択図】　図１
2004062268.tif 000002
【特許請求の範囲】
【請求項１】
ＵＡＲＴ受信信号をｐｕｌｌ−ｄｏｗｎにて接地する接地手段と、ＵＡＲＴを有した機器が接続されたことを前記ＵＡＲＴ受信信号の電圧が高電位になることで検出すると共に接続されたことを通知する検出手段とを備えたことを特徴とするＵＡＲＴインターフェース付き機器の接続検出装置。
【請求項２】
前記検出手段によって出力された検出信号を用いて前記ＵＡＲＴ受信信号のｐｕｌｌ−ｄｏｗｎを解除するｐｕｌｌ−ｄｏｗｎ制御手段を備えたことを特徴とする請求項１記載のＵＡＲＴインターフェース付き機器の接続検出装置。
【請求項３】
前記検出手段によって出力された検出信号を用いて前記ＵＡＲＴ受信信号をｐｕｌｌ−ｕｐに変更するｐｕｌｌ−ｕｐ制御手段を備えたことを特徴とする請求項１又は請求項２記載のＵＡＲＴインターフェース付き機器の接続検出装置。
【請求項４】
ＵＡＲＴ受信信号をｐｕｌｌ−ｄｏｗｎにて接地した後、ＵＡＲＴを有した機器が接続されたことを前記ＵＡＲＴ受信信号の電圧が高電位になることで検出すると共に接続されたことを通知することを特徴とするＵＡＲＴインターフェース付き機器の接続検出方法。
【請求項５】
前記ＵＡＲＴを有した機器が接続されたことを検出した後、ｐｕｌｌ−ｄｏｗｎを解除し、前記ＵＡＲＴ受信信号をｐｕｌｌ−ｕｐに変更することを特徴とする請求項４記載のＵＡＲＴインターフェース付き機器の接続検出方法。
【発明の詳細な説明】
【０００１】
【発明の属する技術分野】
本発明は、ＵＡＲＴ（Ｕｎｉｖｅｒｓａｌ　Ａｓｙｎｃｈｒｏｎｏｕｓ　Ｒｅｃｅｉｖｅｒ　Ｔｒａｎｓｍｉｔｔｅｒ）のインターフェースを持つＵＡＲＴインターフェース付き機器の接続検出装置に関するものである。
【０００２】
【従来の技術】
従来、ＵＡＲＴインターフェース付き機器が、ＵＡＲＴを有した機器がこのＵＡＲＴインターフェース付き機器に接続されたことを検出する場合は、ＵＡＲＴインターフェースに専用の信号線を用意し、その信号線を用いて接続検出を行う。また、特開２０００−３０５６７６号公報に記載されたもののように、ＵＡＲＴを有した機器内で、既存の信号線に接続情報等を印加して、ＵＡＲＴインターフェース付き機器側で、その信号線に含まれる情報を解読し、接続検出を行っている。その他、ＵＡＲＴインターフェース付き機器を絶えず受信待ちの状態にし、ＵＡＲＴを有した機器が接続されてデータ転送が行われるのを待つ方法を使用していた。
【０００３】
【発明が解決しようとする課題】
しかしながら、上記従来の接続検出に専用の信号線を使う場合や既存の信号線に接続情報等を印加する方法では、汎用性に乏しく接続可能機器が制限されてしまう。
【０００４】
また、データの受信待ちによる方法では常にＵＡＲＴの受信がないかを検索しなければいけないため、未使用状態においてもクロックの供給が必要で、ＵＡＲＴインターフェース付き機器の電力消費を抑えることが困難であると共に、ＵＡＲＴを有した機器からの送信がないと接続検出が出来ないという問題がある。
【０００５】
本発明は、従来の問題を解決するためになされたもので、ＵＡＲＴを有した機器を接続されたことを検出するための新たな信号を必要としないために回路規模を抑えることができ、検出手段のみ動作させることで検出できることから消費電流の削減も可能なＵＡＲＴインターフェース付き機器の接続検出装置及び接続検出方法を提供することを目的とする。
【０００６】
【課題を解決するための手段】
本発明のＵＡＲＴインターフェース付き機器の接続検出装置は、ＵＡＲＴ受信信号をｐｕｌｌ−ｄｏｗｎにて接地する接地手段と、ＵＡＲＴを有した機器が接続されたことをＵＡＲＴ受信信号の電圧が高電位になることで検出すると共に接続されたことを通知する検出手段とを備えた構成を有している。
この構成により、ＵＡＲＴの汎用的なインターフェース以外に制約を受けず、専用の信号線も用いることなく接続検出を行うことが出来る。
【０００７】
また、本発明のＵＡＲＴインターフェース付き機器の接続検出装置は、検出手段によって出力された検出信号を用いてＵＡＲＴ受信信号のｐｕｌｌ−ｄｏｗｎを解除するｐｕｌｌ−ｄｏｗｎ制御手段を備えた構成を有している。
この構成により、ＵＡＲＴを有した機器の接続検出後に、受信待ち状態に切り替えることが可能である。
【０００８】
さらに、本発明のＵＡＲＴインターフェース付き機器の接続検出装置は、検出手段によって出力された検出信号を用いてＵＡＲＴ受信信号をｐｕｌｌ−ｕｐに変更するｐｕｌｌ−ｕｐ制御手段を備えた構成を有している。
この構成により、非通信時の無駄な電流を削減できると共に、非通信状態での論理の固定が可能である。
【０００９】
本発明のＵＡＲＴインターフェース付き機器の接続検出方法は、ＵＡＲＴ受信信号をｐｕｌｌ−ｄｏｗｎにて接地した後、ＵＡＲＴを有した機器が接続されたことをＵＡＲＴ受信信号の電圧が高電位になることで検出すると共に接続されたことを通知する構成を有している。
この構成により、ＵＡＲＴの汎用的なインターフェース以外に制約を設けず、専用の信号線も用いることなく接続検出を行うことが出来る。
【００１０】
また、本発明のＵＡＲＴインターフェース付き機器の接続検出方法は、ＵＡＲＴを有した機器が接続されたことを検出した後、ｐｕｌｌ−ｄｏｗｎを解除し、ＵＡＲＴ受信信号をｐｕｌｌ−ｕｐに変更する構成を有している。
この構成により、非通信時の無駄な電流を削減できると共に、非通信状態での論理の固定が可能である。
【００１１】
【発明の実施の形態】
以下、本発明の実施の形態について、図面を用いて説明する。
図１は、本発明の第一の実施の形態の構成を示す。本第一の実施の形態におけるＵＡＲＴインターフェース付き機器の接続検出装置は、ＵＡＲＴ受信信号１０をｐｕｌｌ−ｄｏｗｎにて接地するｐｕｌｌ−ｄｏｗｎスイッチ１３と抵抗２０とにより構成される接地手段と、ＵＡＲＴを有した機器が接続されたことを検出すると共に接続されたことを通知する検出手段である検出部１４とから構成されている。
【００１２】
通常、ＵＡＲＴ受信信号１０は、ＵＡＲＴ受信部１１に送られ、受信データ処理が行われる。接続検出の場合は、まず、検出許可信号１２により、検出部１４を挿入検出待ちの状態とし、ｐｕｌｌ−ｄｏｗｎスイッチ１３をＯＮにし、ＵＡＲＴ受信信号１０をｐｕｌｌ−ｄｏｗｎにて接地する。そして、ＵＡＲＴを有した機器が、本実施の形態の接続検出装置を有するＵＡＲＴインターフェース付き機器に接続された場合、ＵＡＲＴ受信信号１０の電圧がＬｏｗからＨｉｇｈへと変化する。そのときに発生するＵＡＲＴ受信信号１０の電圧のＬｏｗからＨｉｇｈへの立ち上がりエッジ、もしくはＨｉｇｈの電圧を検出部１４が検出することでＵＡＲＴを有した機器の接続を検出することができる。
【００１３】
本発明の第一の実施の形態によれば、ＵＡＲＴの汎用的なインターフェース以外に制約を受けず、汎用的なインターフェースを使えるため回路等の共通化を図ることができ、ＵＡＲＴを有した機器を接続されたことを検出するための新たな信号を必要としないために回路規模を抑えることができ、検出手段のみ動作させることで検出できることから消費電流の削減も可能なＵＡＲＴインターフェース付き機器の接続検出装置及び接続検出方法を提供することができる。
【００１４】
次に、図２の本発明の第二の実施の形態の構成により、第二の実施の形態について説明する。
本第二の実施の形態におけるＵＡＲＴインターフェース付き機器の接続検出装置は、ＵＡＲＴ受信信号１０をｐｕｌｌ−ｄｏｗｎにて接地するｐｕｌｌ−ｄｏｗｎスイッチ１３と抵抗２０とにより構成される接地手段と、ＵＡＲＴを有した機器が接続されたことを検出すると共に接続されたことを通知する検出手段である検出部１４に加え、検出信号１５を用いてＵＡＲＴ受信信号１０のｐｕｌｌ−ｄｏｗｎを解除するｐｕｌｌ−ｄｏｗｎ制御手段であるｐｕｌｌ−ｄｏｗｎスイッチ制御部１６を備えている。
【００１５】
通常、ＵＡＲＴ受信信号１０は、ＵＡＲＴ受信部１１に送られ、受信データ処理が行われる。接続検出の場合は、まず、検出許可信号１２により、検出部１４を検出待ちの状態とし、ｐｕｌｌ−ｄｏｗｎスイッチ１３をＯＮにしＵＡＲＴ受信信号線１０をｐｕｌｌ−ｄｏｗｎにて接地する。そして、ＵＡＲＴを有した機器が、本実施の形態の接続検出装置を有するＵＡＲＴインターフェース付き機器に接続された場合、ＵＡＲＴ受信信号１０の電圧がＬｏｗからＨｉｇｈへと変化する。そのときに発生するＵＡＲＴ受信信号１０の電圧のＬｏｗからＨｉｇｈへの立ち上がりエッジ、もしくはＨｉｇｈの電圧を検出部１４が検出することでＵＡＲＴを有した機器の接続を検出することができる。
【００１６】
そして、接続を検出した際に検出部１４から出力される検出信号１５によりｐｕｌｌ−ｄｏｗｎスイッチ制御部１６がＵＡＲＴ受信信号１０のｐｕｌｌ−ｄｏｗｎを解除することができ、ＵＡＲＴを有した機器の接続検出後にＵＡＲＴを有した機器からの受信待ち状態に切り替えることが可能である。
【００１７】
次に、図３の本発明の第二の実施の形態の構成及び図４の各信号のタイミングを示すタイミング図とにより、第三の実施の形態について説明する。
本第三の実施の形態におけるＵＡＲＴインターフェース付き機器の接続検出装置は、ＵＡＲＴ受信信号１０をｐｕｌｌ−ｄｏｗｎにて接地するｐｕｌｌ−ｄｏｗｎスイッチ１３と抵抗２０とにより構成される接地手段と、ＵＡＲＴを有した機器が接続されたことを検出すると共に接続されたことを通知する検出手段である検出部１４と、検出信号１５を用いてＵＡＲＴ受信信号１０のｐｕｌｌ−ｄｏｗｎを解除するｐｕｌｌ−ｄｏｗｎ制御手段であるｐｕｌｌ−ｄｏｗｎスイッチ制御部１６に加え、ｐｕｌｌ−ｕｐスイッチ１８と抵抗２１とにより構成される電源（Ｖｃｃ）に対してｐｕｌｌ−ｕｐを行うｐｕｌｌ−ｕｐ手段と、このｐｕｌｌ−ｕｐ手段を制御して、検出部１４によって出力された検出信号１５を用いてＵＡＲＴ受信信号１０をｐｕｌｌ−ｕｐに変更するｐｕｌｌ−ｕｐ制御手段であるｐｕｌｌ−ｕｐスイッチ制御部１７を備えている。
【００１８】
通常、ＵＡＲＴ受信信号１０は、ＵＡＲＴ受信部１１に送られ、受信データ処理が行われる。接続検出の場合は、まず、時刻ｔ０において検出許可信号１２をＯＮにし、検出待ちの状態にする。それに伴い、ｐｕｌｌ−ｕｐスイッチ１８をＯＦＦ、ｐｕｌｌ−ｄｏｗｎスイッチ１３をＯＮにする。そうすることによってＵＡＲＴ受信信号１０の電圧がＬｏｗへと変化する。その後、時刻ｔ１に、ＵＡＲＴを有した機器が接続された場合、検出信号１５がＯＮとなり、接続検出する。検出後の処理が終了後、時刻ｔ２において検出許可信号１２をＯＦＦとし、それに伴い、ｐｕｌｌ−ｕｐスイッチ１８をＯＮ、ｐｕｌｌ−ｄｏｗｎスイッチ１３をＯＦＦにする。そうすることによって通常のＵＡＲＴ受信状態にする。
【００１９】
ＵＡＲＴ受信信号線１０のｐｕｌｌ−ｄｏｗｎを解除しｐｕｌｌ−ｕｐへ切り替えることで、ＵＡＲＴを有した機器の接続後にＵＡＲＴを有した機器からの受信待ち状態に切り替え可能で、さらに非通信状態での論理の固定が可能である。
【００２０】
【発明の効果】
以上のように本発明は、ＵＡＲＴ受信信号をｐｕｌｌ−ｄｏｗｎにて接地する接地手段と、ＵＡＲＴを有した機器が接続されたことをＵＡＲＴ受信信号の電圧が高電位になることで検出すると共に接続されたことを通知する検出手段とを備えることにより、ＵＡＲＴを有した機器を接続されたことを検出するための新たな信号を必要としないために回路規模を抑えることができ、検出手段のみ動作させることで検出できることから消費電流の削減も可能なＵＡＲＴインターフェース付き機器の接続検出装置及び接続検出方法を提供することができる。
【図面の簡単な説明】
【図１】本発明の第一の実施の形態の構成を示すブロック図
【図２】本発明の第二の実施の形態の構成を示すブロック図
【図３】本発明の第三の実施の形態の構成を示すブロック図
【図４】本発明の第三の実施の形態の信号のタイミングを示すタイミング図
【符号の説明】
１０　ＵＡＲＴ受信信号
１１　ＵＡＲＴ受信部
１２　検出許可信号
１３　ｐｕｌｌ−ｄｏｗｎスイッチ
１４　検出部
１５　検出信号
１６　ｐｕｌｌ−ｄｏｗｎスイッチ制御部
１７　ｐｕｌｌ−ｕｐスイッチ制御部
１８　ｐｕｌｌ−ｕｐスイッチ
２０，２１　抵抗
【図１】
2004062268.tif 000003
【図２】
2004062268.tif 000004
【図３】
2004062268.tif 000005
【図４】
2004062268.tif 000006